(57)【要約】      （修正有）【課題】ケーブルによる患者の汚染を防ぐと共に安定して放射線画像の撮影を行なうことができる可搬型放射線画像撮影装置を提供する。【解決手段】ケーブル４３が着脱可能とされた接続端子３２Ａにケーブル４３が接続されているか否かを検出し、接続端子３２Ａにケーブル４３が接続されていることが検出された場合に放射線画像の撮影が禁止する。【選択図】図２
2010178901.tif 000002
【特許請求の範囲】
【請求項１】
ケーブルが着脱可能な接続端子と、
前記接続端子に前記ケーブルが接続されているか否かを検出する検出手段と、
照射された放射線により表わされる放射線画像を撮影し、当該撮影した放射線画像を示す画像情報を生成する生成手段と、
前記検出手段により前記接続端子に前記ケーブルが接続されていることが検出された場合に放射線画像の撮影を禁止する制御を行なう制御手段と、
を備えた可搬型放射線画像撮影装置。
【請求項２】
放射線画像の撮影指示を受付ける受付手段をさらに備え、
前記制御手段は、前記検出手段により前記接続端子に前記ケーブルが接続されていないと検出され且つ前記受付手段により撮影指示を受付けた場合に前記生成手段により放射線画像を撮影する制御を行なう
請求項１記載の可搬型放射線画像撮影装置。
【請求項３】
前記制御手段は、放射線画像の撮影後に前記接続端子に前記ケーブルが接続された場合に当該ケーブルを介して前記画像情報を外部へ伝送する制御を行なう
請求項２記載の可搬型放射線画像撮影装置。
【請求項４】
他の機器と無線通信を行う無線通信手段をさらに備え、
前記制御手段は、放射線画像の撮影後に前記接続端子に前記ケーブルが接続された場合に前記無線通信手段による無線通信により前記画像情報を外部へ伝送する制御を行なう
請求項２記載の可搬型放射線画像撮影装置。
【請求項５】
人体と一体となって用いられる医療機器から発生する所定周波数範囲の電波を検出する電波検出手段をさらに備え、
前記制御手段は、前記電波検出手段により前記所定周波数範囲の電波が検出された場合に前記無線通信手段による無線通信を禁止する
請求項４記載の可搬型放射線画像撮影装置。
【請求項６】
前記制御手段は、前記検出手段により前記接続端子から前記ケーブルが外されたことが検出された場合に放射線画像の撮影が可能な撮影準備状態に前記生成手段を移行させる制御を行なう
請求項１〜請求項５の何れか１項記載の可搬型放射線画像撮影装置。
【請求項７】
患者に対する１回の放射線画像の撮影で必要とされる所定撮影枚数だけ撮影可能な電力を蓄積する電力蓄積手段をさらに備えた
請求項１〜請求項６の何れか１項記載の可搬型放射線画像撮影装置。
【請求項８】
前記所定撮影枚数を１枚とした
請求項７記載の可搬型放射線画像撮影装置。
【請求項９】
照射された放射線により表わされる放射線画像を撮影し、当該撮影した放射線画像を示す画像情報を生成する可搬型放射線画像撮影装置の接続端子に対して着脱可能とされたケーブルが前記接続端子に接続されているか否かを検出する検出手段と、
前記検出手段により前記接続端子に前記ケーブルが接続されていることが検出された場合に放射線画像の撮影を禁止する制御を行なう制御手段と、
を備えた撮影制御装置。
【請求項１０】
ケーブルが着脱可能な接続端子を有し、照射された放射線により表わされる放射線画像を撮影し、当該撮影した放射線画像を示す画像情報を生成する可搬型放射線画像撮影装置と、
前記可搬型放射線画像撮影装置に対して放射線を照射する放射線源と、
前記接続端子に前記ケーブルが接続されているか否かを検出する検出手段と、
前記検出手段により前記接続端子に前記ケーブルが接続されていることが検出された場合に放射線画像の撮影を禁止する制御を行なう制御手段と、
を備えた放射線画像撮影システム。
【発明の詳細な説明】
【技術分野】
【０００１】
本発明は、可搬型放射線画像撮影装置、撮影制御装置及び放射線画像撮影システムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、このＦＰＤ等を用いて照射された放射線により表わされる放射線画像を示す画像情報を生成し、生成した画像情報を記憶する可搬型放射線画像撮影装置（以下、「電子カセッテ」ともいう。）が実用化されている。
【０００３】
電子カセッテは可搬性を有するのでストレッチャーやベッドに載せたまま患者を撮影でき、電子カセッテの位置を変更することで撮影部位の調整も容易である。
【０００４】
この電子カセッテには、電力供給あるいはデータ転送などの点から、放射線画像撮影を制御する撮影制御装置（所謂、コンソール）とケーブルで接続して使用される有線接続タイプのものがある。このよう有線接続タイプの電子カセッテにおいて、電子カセッテとコンソールとの接続の操作性を向上させる技術として、特許文献１には、電子カセッテに所定の長さ（撮影の際に電子カセッテを撮影部位に置いた際に端部が患者より外側に位置する程度の長さ）の接続用ケーブルを設け、当該接続用ケーブルの端部をケーブルと接続して電子カセッテに電力を供給すると共に、コンソールで電子カセッテによる放射線画像の撮影を制御する技術が開示されている。
【先行技術文献】
【特許文献】
【０００５】
【特許文献１】特開２００４−４４９６８号公報
【発明の概要】
【発明が解決しようとする課題】
【０００６】
この特許文献１の技術は、電子カセットとコンソールをケーブルで接続するため、電子カセットとコンソールとの間のデータ転送が安定するものの、電子カセットとコンソールをケーブルで接続した状態としなければ放射線画像を撮影できない。このケーブルは、床面に触れるなどして汚れが付着する場合があるため、患者に触れないことが好ましい。また、患者に引っかかり電子カセットが動いてしまい安定して放射線画像の撮影を行なうことができない場合がある。
【０００７】
本発明は上記事実に鑑みてなされたものであり、ケーブルによる患者の汚染を防ぐと共に安定して放射線画像の撮影を行なうことができる可搬型放射線画像撮影装置を提供することを目的とする。
【課題を解決するための手段】
【０００８】
上記目的を達成するために、請求項１に記載の発明の可搬型放射線画像撮影装置は、ケーブルが着脱可能な接続端子と、前記接続端子に前記ケーブルが接続されているか否かを検出する検出手段と、照射された放射線により表わされる放射線画像を撮影し、当該撮影した放射線画像を示す画像情報を生成する生成手段と、前記検出手段により前記接続端子に前記ケーブルが接続されていることが検出された場合に放射線画像の撮影を禁止する制御を行なう制御手段と、を備えている。
【０００９】
請求項１に記載の発明によれば、接続端子にケーブルが着脱可能とされ、検出手段により、接続端子にケーブルが接続されているか否かが検出される。
【００１０】
また、本発明によれば、生成手段により、照射された放射線により表わされる放射線画像が撮影され、当該撮影された放射線画像を示す画像情報が生成される。
【００１１】
そして、本発明によれば、制御手段により、検出手段により接続端子にケーブルが接続されていることが検出された場合に放射線画像の撮影が禁止される。
【００１２】
このように、請求項１に記載の発明によれば、ケーブルが着脱可能とされた接続端子にケーブルが接続されているか否かを検出し、接続端子にケーブルが接続されていることが検出された場合に放射線画像の撮影が禁止することにより、撮影の際に接続端子からケーブルを外して撮影を行なうようになるため、ケーブルによる患者の汚染を防ぐことができる。また、撮影の際に接続端子からケーブルを外して撮影が行なわれるため、撮影時に技師や患者によるケーブルの引っ掛けなどの誤操作を防ぐことができ、安定して放射線画像の撮影を行なうことができる。
【００１３】
なお、請求項１記載の発明は、請求項２に記載の発明のように、放射線画像の撮影指示を受付ける受付手段をさらに備え、前記制御手段が、前記検出手段により前記接続端子に前記ケーブルが接続されていないと検出され且つ前記受付手段により撮影指示を受付けた場合に前記生成手段により放射線画像を撮影する制御を行なってもよい。
【００１４】
また、請求項２記載の発明は、請求項３に記載の発明のように、前記制御手段が、放射線画像の撮影後に前記接続端子に前記ケーブルが接続された場合に当該ケーブルを介して前記画像情報を外部へ伝送する制御を行なってもよい。
【００１５】
また、請求項２記載の発明は、請求項４に記載の発明のように、他の機器と無線通信を行う無線通信手段をさらに備え、前記制御手段が、放射線画像の撮影後に前記接続端子に前記ケーブルが接続された場合に前記無線通信手段による無線通信により前記画像情報を外部へ伝送する制御を行なってもよい。
【００１６】
また、請求項４記載の発明は、請求項５に記載の発明のように、人体と一体となって用いられる医療機器から発生する所定周波数範囲の電波を検出する電波検出手段をさらに備え、前記制御手段が、前記電波検出手段により前記所定周波数範囲の電波が検出された場合に前記無線通信手段による無線通信を禁止してもよい。
【００１７】
また、本発明は、請求項６に記載の発明のように、前記制御手段が、前記検出手段により前記接続端子から前記ケーブルが外されたことが検出された場合に放射線画像の撮影が可能な撮影準備状態に前記生成手段を移行させる制御を行ってもよい。
【００１８】
また、本発明は、請求項７に記載の発明のように、患者に対する１回の放射線画像の撮影で必要とされる所定撮影枚数だけ撮影可能な電力を蓄積する電力蓄積手段をさらに備えてもよい。
【００１９】
さらに、請求項７記載の発明は、請求項８に記載の発明のように、前記所定撮影枚数を１枚としてもよい。
【００２０】
一方、請求項９に記載の発明の撮影制御装置は、照射された放射線により表わされる放射線画像を撮影し、当該撮影した放射線画像を示す画像情報を生成する可搬型放射線画像撮影装置の接続端子に対して着脱可能とされたケーブルが前記接続端子に接続されているか否かを検出する検出手段と、前記検出手段により前記接続端子に前記ケーブルが接続されていることが検出された場合に放射線画像の撮影を禁止する制御を行なう制御手段と、を備えている。
【００２１】
よって、請求項９に記載の発明は、請求項１記載の発明と同様に作用するので、ケーブルによる患者の汚染を防ぐと共に撮影時に技師や患者によるケーブルの引っ掛けなどの誤操作を防ぐことができ安定して放射線画像の撮影を行なうことができる。
【００２２】
一方、請求項１０に記載の発明の放射線画像撮影システムは、ケーブルが着脱可能な接続端子を有し、照射された放射線により表わされる放射線画像を撮影し、当該撮影した放射線画像を示す画像情報を生成する可搬型放射線画像撮影装置と、前記可搬型放射線画像撮影装置に対して放射線を照射する放射線源と、前記接続端子に前記ケーブルが接続されているか否かを検出する検出手段と、前記検出手段により前記接続端子に前記ケーブルが接続されていることが検出された場合に放射線画像の撮影を禁止する制御を行なう制御手段と、を備えている。
【００２３】
よって、請求項１０に記載の発明は、請求項１記載の発明と同様に作用するので、ケーブルによる患者の汚染を防ぐと共に撮影時に技師や患者によるケーブルの引っ掛けなどの誤操作を防ぐことができ安定して放射線画像の撮影を行なうことができる。
【００２４】
なお、上記検出手段や制御手段を可搬型放射線画像撮影装置に設けてもよい。また、上記検出手段や制御手段を放射線画像撮影を制御する撮影制御装置に設け、放射線源を放射線発生装置に設けてもよい。また、上記検出手段と制御手段と放射線源を一体として１つの装置に設けてもよい。
【発明の効果】
【００２５】
本発明によれば、ケーブルが着脱可能とされた接続端子にケーブルが接続されているか否かを検出し、接続端子にケーブルが接続されていることが検出された場合に放射線画像の撮影が禁止することにより、撮影の際に接続端子からケーブルを外して撮影を行なうようになるため、ケーブルによる患者の汚染を防ぐと共に撮影時に技師や患者によるケーブルの引っ掛けなどの誤操作を防ぐことができ安定して放射線画像の撮影を行なうことができる、という効果が得られる。
【図面の簡単な説明】
【００２６】
【図１】実施の形態に係る放射線情報システムの構成を示すブロック図である。
【図２】実施の形態に係る放射線画像撮影システムが設置された放射線撮影室の様子を示す図である。
【図３】実施の形態に係る電子カセッテの内部構成を示す透過斜視図である。
【図４】（Ａ）は接続端子にケーブルが未接続である場合のスイッチの状態を示す図であり、（Ｂ）は接続端子にケーブルを接続させた場合のスイッチの状態を示す図である。
【図５】実施の形態に係る放射線画像撮影システムの詳細な構成を示すブロック図である。
【図６】ベッド上に横臥した患者の患部の放射線画像の撮影を行う場合の様子を示す図である。
【図７】実施の形態に係る無線通信禁止処理プログラムの処理の流れを示すフローチャートである。
【図８】実施の形態に係る撮影禁止判定処理プログラムの処理の流れを示すフローチャートである。
【図９】実施の形態に係る画像情報転送制御処理プログラムの処理の流れを示すフローチャートである。
【図１０】（Ａ）（Ｂ）は他の形態に係るベッドの天板の上面で電子カセッテと接続する場合の状態を示す側面図である。
【図１１】（Ａ）〜（Ｃ）は他の形態に係るベッドの天板の上面で電子カセッテと接続する場合の状態を示す側面図である。
【図１２】（Ａ）は他の形態に係る接続端子に反射型のセンサを設けた状態を示す図であり、（Ｂ）は他の形態に係る反射型のセンサの等価回路図である。
【図１３】他の形態に係るケーブルに内臓されたシールド線の抵抗値を測定する測定回路の一例を示す回路図である。
【発明を実施するための形態】
【００２７】
以下、図面を参照して本発明を実施するための最良の形態について詳細に説明する。
【００２８】
先ず、実施の形態に係る放射線情報システム１０の構成について説明する。
【００２９】
図１には、本実施の形態に係る放射線情報システム１０{以下、「ＲＩＳ１０」（ＲＩＳ：Radiology Information System）とも称する。）の各構成要素を示すブロック図が示されている。
【００３０】
ＲＩＳ１０は、放射線科部門内における、診療予約、診断記録等の情報管理を行うためのシステムであり、病院情報システム（ＨＩＳ：Hospital Information System）の一部を構成する。
【００３１】
ＲＩＳ１０は、複数台の撮影依頼端末装置１２（以下、「端末装置１２」とも称する。）、ＲＩＳサーバ１４、病院内の個々の放射線撮影室（或いは手術室）に設置された放射線画像撮影システム１８が、有線又は無線のＬＡＮ(Local Area Network)から成る病院内ネットワーク１６に各々接続されて構成されている。この病院内ネットワーク１６にはＨＩＳ全体を管理するＨＩＳサーバ（図示省略）も接続されている。
【００３２】
端末装置１２は、医師や放射線技師が、診断情報や施設予約の入力・閲覧をするためのものであり、放射線画像の撮影依頼（撮影予約）もこの端末装置１２からなされる。各端末装置１２は、表示装置付きのパーソナルコンピュータから構成され、ＲＩＳサーバ１４と病院内ネットワーク１６により接続されて相互通信が可能となっている。
【００３３】
ＲＩＳサーバ１４は、各端末装置１２からの撮影依頼を受け付け、撮影システム１８における放射線画像の撮影スケジュールを管理するものであり、データベース１４Ａを含んで構成されている。
【００３４】
データベース１４Ａは、患者の属性情報（氏名、性別、生年月日、年齢、血液、患者ＩＤ等）、病歴、受診歴、過去に撮影した放射線画像等、患者に関する情報、撮影システム１８の電子カセッテ３２の識別番号、型式、サイズ、感度、使用可能な撮影部位（対応可能な撮影依頼の内容）、使用開始年月日、使用回数等、電子カセッテ３２に関する情報、及び電子カセッテ３２を用いて放射線画像を撮影する環境、すなわち、電子カセッテ３２を使用する環境（一例として、手術室や放射線画像の撮影専用に設置された撮影室など）を示す環境情報を含んで構成されている。
【００３５】
撮影システム１８は、ＲＩＳサーバ１４からの指示に応じて医師や放射線技師の操作により放射線画像の撮影を行う。撮影システム１８は、放射線源１３０（図５参照。）から曝射条件に従った線量からなる放射線Ｘを被写体に照射する放射線発生装置３４と、患者を透過した放射線Ｘを吸収して電荷を発生し、発生した電荷量に基づいて放射線画像を示す画像情報を生成する放射線検出器６０（図３及び図５参照。）を内蔵する電子カセッテ３２と、不使用時に電子カセッテ３２が収納されるクレードル４０と、電子カセッテ３２、放射線発生装置３４、及びクレードル４０を制御するコンソール４２と、を備える。
【００３６】
図２には、本実施の形態に係る撮影システム１８を放射線撮影室４４に配置した様子の一例が示されている。
【００３７】
同図に示すように、放射線撮影室４４には、臥位での放射線撮影を行う際に患者が横臥するためのベッド４６が設置されている。ベッド４６の上方空間は臥位での放射線撮影を行う際の患者の撮影位置とされている。
【００３８】
ベッド４６の上方には、放射線源１３０を内蔵した放射線発生装置３４が設けられている。放射線発生装置３４は、不図示の自在アームに連結され、患者の撮影部位に応じた所望の位置に移動可能とされている。
【００３９】
ベッド４６は、患者が横臥するための天板４８を備えており、天板４８の一部（例えば、角部）にコンソール４２と接続された通信用のケーブル４３が設けられている。
【００４０】
電子カセッテ３２はケーブル４３が着脱可能され、撮影待機時、ケーブル４３が接続されて内蔵されるバッテリに充電が行われ、撮影時、ケーブル４３が外されてベッド４６上の患者の撮影部位に応じた位置へ移動・位置決めされる。
【００４１】
なお、電子カセッテ３２は、放射線撮影室４４で使用される場合に限られるものではなく、例えば、検診や病院内での回診にも適用することができる。
【００４２】
図３には、本実施の形態に係る電子カセッテ３２の内部構成が示されている。
【００４３】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。この筐体５４の側面にはケーブル４３を接続するための接続端子３２Ａが設けられている。
【００４４】
この接続端子３２Ａには接続端子３２Ａとケーブル４３との接続状態を検出するため、メカニカルなスイッチ３３を設けている。
【００４５】
図４（Ａ）（Ｂ）には、接続端子３２Ａにスイッチ３３を設けた一例が示されている。なお、図４（Ａ）は接続端子３２Ａにケーブル４３が未接続である場合のスイッチ３３の状態を示しており、図４（Ｂ）は接続端子３２Ａにケーブル４３を接続させた場合のスイッチ３３の状態を示している。
【００４６】
スイッチ３３は、ケーブル４３の端子４３Ｂが接続端子３２Ａに未接続状態の場合、オフとなっており、端子４３Ｂが接続端子３２Ａに接続されると振動してオンなる。
【００４７】
一方、筐体５４（図３参照。）の内部には、放射線Ｘが照射される筐体５４の照射面５６側から、患者による放射線Ｘの散乱線を除去するグリッド５８、患者を透過した放射線Ｘを検出する放射線検出器６０、及び、放射線Ｘのバック散乱線を吸収する鉛板６２が順に配設される。なお、筐体５４の照射面５６をグリッド５８として構成してもよい。
【００４８】
また、筐体５４の内部の一端側には、マイクロコンピュータを含む電子回路及び充電可能な二次電池を収容するケース３１が配置されている。放射線検出器６０及び電子回路は、ケース３１に配置された二次電池から供給される電力によって作動する。ケース３１内部に収容された各種回路が放射線Ｘの照射に伴って損傷することを回避するため、ケース３１の照射面２２側には鉛板等を配設しておくことが望ましい。
【００４９】
図５には、本実施の形態に係る放射線画像撮影システム１８の詳細な構成を示すブロック図が示されている。
【００５０】
放射線発生装置３４には、コンソール４２と通信を行うための接続端子３４Ａが設けられている。コンソール４２には、放射線発生装置３４と通信を行うための接続端子４２Ａ、電子カセッテ３２と通信を行うための接続端子４２Ｂが設けられている。
【００５１】
放射線発生装置３４はケーブル３５を介してコンソール４２に接続されている。電子カセッテ３２は、放射線画像の撮影時に、接続端子３２Ａにケーブル４３が接続され、当該ケーブル４３を介してコンソール４２に接続される。
【００５２】
電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００５３】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図５では個々の画素部７４に対応する光電変換層を光電変換部７２として模式的に示している）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００５４】
また、ＴＦＴアクティブマトリクス基板６６には、一定方向（行方向）に延設され個々の画素部７４のＴＦＴ７０をオンオフさせるための複数本のゲート配線７６と、ゲート配線７６と直交する方向（列方向）に延設されオンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、アナログの電気信号としてデータ配線７８を伝送されて信号処理部８２に入力される。従って、個々の画素部７４の蓄積容量６８に蓄積されている電荷は行単位で順に読み出される。
【００５５】
図示は省略するが、信号処理部８２は、個々のデータ配線７８毎に設けられた増幅器及びサンプルホールド回路を備えており、個々のデータ配線７８を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像情報へ変換される。
【００５６】
信号処理部８２には画像メモリ９０が接続されており、信号処理部８２のＡ／Ｄ変換器から出力された画像情報は画像メモリ９０に順に記憶される。画像メモリ９０は放射線画像を示す画像情報を所定枚数分記憶可能な記憶容量を有しており、１ラインずつ電荷の読み出しが行われる毎に、読み出された１ライン分の画像情報が画像メモリ９０に順次記憶される。
【００５７】
画像メモリ９０は電子カセッテ３２全体の動作を制御するカセッテ制御部９２と接続されている。カセッテ制御部９２はマイクロコンピュータによって実現されており、ＣＰＵ９２Ａ、ＲＯＭ及びＲＡＭを含むメモリ９２Ｂ、ＨＤＤやフラッシュメモリ等から成る不揮発性の記憶部９２Ｃを備えている。
【００５８】
このカセッテ制御部９２には無線通信部９４及び有線通信部９５が接続されている。無線通信部９４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間で各種情報の伝送を制御する。有線通信部９５は、接続端子３２Ａに接続され、接続端子３２Ａ及びケーブル４３を介してコンソール４２との間で各種情報の伝送を制御する。カセッテ制御部９２は、無線通信部９４又は有線通信部９５を介してコンソール４２との間で各種情報の送受信を行なう。
【００５９】
また、カセッテ制御部９２には電波検出部９８が接続されている。本実施の形態では、心臓ペースメーカー等の医療機器から発生する電波の周波数を求め、当該周波数を含んだ検出対象とする周波数範囲を定めている。電波検出部９８は、検出される電波の周波数に検出対象とする所定周波数範囲内のものが含まれるか否かを検出する。カセッテ制御部９２は、電波検出部９８による検出結果を判別することにより、所定周波数範囲の電波を検出することが可能とされている。
【００６０】
さらに、カセッテ制御部９２はスイッチ３３と接続されている。カセッテ制御部９２は、スイッチ３３のオン、オフ状態を判別することにより、接続端子３２Ａにケーブル４３が接続されているか否かを検出することが可能とされている。
【００６１】
また、電子カセッテ３２には電源部９６が設けられており、上述した各種回路や各素子(スイッチ３３、ゲート線ドライバ８０、信号処理部８２、画像メモリ９０、無線通信部９４、有線通信部９５、カセッテ制御部９２として機能するマイクロコンピュータや電波検出部９８)は、電源部９６から供給された電力によって作動する。電源部９６は、接続端子３２Ａにケーブル４３が接続された場合にケーブル４３を介して供給される電力により充電が行なわれる。電源部９６は、電子カセッテ３２の可搬性を損なわないように、バッテリ（充電可能な二次電池）を内蔵しており、充電されたバッテリから各種回路・素子へ電力を供給する。なお、図５では、電源部９６と各種回路や各素子を接続する配線を省略している。
【００６２】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００６３】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、接続端子４２Ａに接続され、接続端子４２Ａ及びケーブル３５を介して放射線発生装置３４との間で後述する曝射条件等の各種情報の送受信を行う通信Ｉ／Ｆ部１１６と、電子カセッテ３２との間で無線通信により曝射条件等の各種情報の送受信を行う無線通信部１１８と、接続端子４２Ｂに接続され、接続端子４２Ｂ及びケーブル４３を介して電子カセッテ３２との間で画像情報等の各種情報の送受信を行う有線通信部１２０と、を備えている。
【００６４】
ＣＰＵ１０４、ＲＯＭ１０６、ＲＡＭ１０８、ＨＤＤ１１０、ディスプレイドライバ１１２、操作入力検出部１１４、通信Ｉ／Ｆ部１１６、無線通信部１１８、及び有線通信部１２０は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した放射線発生装置３４との各種情報の送受信の制御、無線通信部１１８を介した電子カセッテ３２との各種情報の送受信の制御、及び有線通信部１２０を介した電子カセッテ３２との各種情報の送受信の制御、を行うことができる。また、ＣＰＵ１０４は、操作入力検出部１１４を介して操作パネル１０２に対するユーザの操作状態を把握することができる。
【００６５】
一方、放射線発生装置３４は、放射線Ｘを出力する放射線源１３０と、コンソール４２との間で曝射条件等の各種情報を送受信する通信Ｉ／Ｆ部１３２と、受信した曝射条件に基づいて放射線源１３０を制御する線源制御部１３４と、を備えている。
【００６６】
線源制御部１３４もマイクロコンピュータによって実現されており、受信した曝射条件を記憶する。このコンソール４２から受信する曝射条件には管電圧、管電流、照射期間等の情報が含まれている。線源制御部１３４は、受信した曝射条件に基づいて放射線源１３０から放射線Ｘを照射させる。
【００６７】
次に、本実施の形態に係る撮影システム１８の作用について説明する。
【００６８】
本実施の形態に係る電子カセッテ３２は、曝射条件や指示情報などのデータ量の小さい情報を無線通信で送受信するものとしており、撮影された放射線画像を示す画像情報などのデータ量の大きい情報を有線通信で送受信するものとしている。
【００６９】
電子カセッテ３２は、撮影待機時、ケーブル４３が接続されて内蔵されるバッテリに充電が行われる。
【００７０】
ここで、本実施の形態に係る電子カセッテ３２では、電源部９６に内蔵されたバッテリーを、充電終了から１枚の放射線画像の撮影の終了までに必要な電力を蓄積することが可能な容量のものとしている。これにより本実施の形態に係る電子カセッテ３２は、１枚撮影する毎にケーブル４３を接続してバッテリに充電を行なう必要があるが、バッテリーの容量を少なくすることができるため、軽量化することができる。なお、バッテリーの容量を、患者に対する１回の放射線画像の撮影で必要とされる所定撮影枚数（例えば、３枚）だけ撮影可能な電力を蓄積可能な容量としてもよい。これにより、バッテリーの充電を行なうことなく患者に対する１回の放射線画像の撮影を行なうことができる。
【００７１】
放射線画像の撮影する場合、端末装置１２（図１参照。）は、医師又は放射線技師からの撮影依頼を受け付ける。当該撮影依頼では、電子カセッテ３２を使用する環境、撮影の日時、撮影対象とする部位、撮影姿勢、管電圧及び照射する放射線の線量が指定される。
【００７２】
端末装置１２は、受け付けた撮影依頼の内容をＲＩＳサーバ１４に通知する。ＲＩＳサーバ１４は、端末装置１２から通知された撮影依頼の内容をデータベース１４Ａに記憶する。
【００７３】
コンソール４２は、ＲＩＳサーバ１４にアクセスすることにより、ＲＩＳサーバ１４から撮影依頼の内容を取得し、撮影依頼の内容をディスプレイ１００に表示する。
【００７４】
医師や放射線技師がディスプレイ１００に表示された撮影依頼の内容に基づいて放射線画像の撮影を開始する。
【００７５】
例えば、図６に示すように、ベッド４６上に横臥した患者１５０の患部の放射線画像の撮影を行う場合、医師や放射線技師は、電子カセッテ３２からケーブル４３を外し、患者１５０の撮影部位、角度に応じてベッド４６と患者１５０の患部との間に電子カセッテ３２を配置すると共に、患部上方に放射線発生装置３４を配置する。
【００７６】
電子カセッテ３２は、接続端子３２Ａにからケーブル４３が外されたことが検出された場合に放射線画像の撮影が可能な撮影準備状態に放射線検出器６０を移行させ、例えば、放射線検出器６０への電力供給を開始する。この放射線検出器６０は、電力が供給されると、暗電流等のノイズによって発生する電荷が各画素部７４の蓄積容量６８に蓄積される。このため、撮影準備状態では、各ゲート配線７６に接続された各ＴＦＴ７０を１ラインずつ順にＯＮさせて各画素部７４の蓄積容量６８に蓄積された電荷を除去するノイズ除去処理を定期的に繰り返し行う。
【００７７】
ところで、患者１５０は、心臓ペースメーカなどの医療機器を装着している場合がある。本実施の形態に係る電子カセッテ３２では、電波検出部９８により、心臓ペースメーカなどの医療機器から発生する所定周波数範囲の電波を検出している。カセッテ制御部９２は、電波検出部９８により所定周波数範囲の電波が検出された場合に、以下の無線通信禁止処理プログラムを実行してコンソール４２との無線通信を禁止している。
【００７８】
図７にはＣＰＵ９２Ａにより実行される無線通信禁止処理プログラムの処理の流れを示すフローチャートが示されている。なお、当該プログラムはメモリ９２Ｂ（ＲＯＭ）の所定の領域に予め記憶されている。
【００７９】
同図のステップ２００では、コンソール４２へ無線通信の禁止を求める情報を無線通信部９４から無線通信により送信する。
【００８０】
次のステップ２０２では、無線通信部９４からの無線通信を禁止し、処理終了となる。
【００８１】
コンソール４２では、無線通信の禁止を求める情報を受信した場合、無線通信部１１８による無線通信を禁止する共に、患者から無線通信で影響を受ける心臓ペースメーカなどの医療機器が検出されたため、有線通信への切り替えを促す警告メッセージをディスプレイ１００に表示する。
【００８２】
医師２６や放射線技師は、ディスプレイ１００に警告メッセージが表示された場合、電子カセッテ３２とコンソール４２をケーブル４３によって接続して有線通信により撮影を行なう。
【００８３】
医師や放射線技師は、患者１５０の撮影部位や撮影条件に応じてコンソール４２の操作パネル１０２に対して放射線Ｘを照射する際の管電圧、管電流、及び照射期間を指定する曝射条件指定操作を行う。
【００８４】
コンソール４２は、操作パネル１０２に対して曝射条件指定操作が行なわれると、指定された曝射条件を放射線発生装置３４へ通信Ｉ／Ｆ部１１６から送信する。これにより、線源制御部１３４は、受信した曝射条件での曝射準備を行なう。また、コンソール４２は、無線通信が禁止されていない場合、曝射条件を無線通信部１１８から無線通信で電子カセッテ３２へ送信し、無線通信が禁止されている場合、曝射条件を有線通信部１２０から有線通信で電子カセッテ３２へ送信する。
【００８５】
カセッテ制御部９２は、無線通信部９４又は有線通信部９５で曝射条件が受信された場合に、以下の撮影禁止判定処理プログラムを実行して放射線画像の撮影が可能か否かを判定している。
【００８６】
図８にはＣＰＵ９２Ａにより実行される撮影禁止判定処理プログラムの処理の流れを示すフローチャートが示されている。なお、当該プログラムはメモリ９２Ｂ（ＲＯＭ）の所定の領域に予め記憶されている。
【００８７】
同図のステップ２５０では、無線通信が禁止されているか否かを判定し、無線通信が禁止されている場合はステップ２５２へ移行し、無線通信が禁止されていない場合はステップ２５４へ移行する。
【００８８】
ステップ２５２では、曝射許可を示す指示情報をコンソール４２へ有線通信部９５から送信し、処理終了となる。
【００８９】
一方、ステップ２５４では、スイッチ３３のオン、オフ状態を判別することにより、接続端子３２Ａにケーブル４３が接続されているか否かを判定し、接続されている場合はステップ２５６へ移行し、接続されていない場合はステップ２５８へ移行する。
【００９０】
ステップ２５６では、曝射禁止を示す指示情報をコンソール４２へ無線通信部９４から送信し、処理終了となる。
【００９１】
一方、ステップ２５８では、曝射許可を示す指示情報をコンソール４２へ無線通信部９４から送信し、処理終了となる。
【００９２】
コンソール４２は、無線通信部１１８で曝射禁止を示す指示情報を受信すると、ディスプレイ１００にケーブル４３が接続されていることによる曝射禁止された旨を示すメッセージを表示させ、放射線発生装置３４の放射線源１３０からの放射線の照射を禁止することにより放射線画像の撮影を禁止する。
【００９３】
一方、コンソール４２は、無線通信部１１８又は有線通信部１２０で曝射許可を示す指示情報を受信すると、ディスプレイ１００に曝射が許可された旨を示すメッセージを表示させる。
【００９４】
医師や放射線技師は、ディスプレイ１００に曝射が許可された旨を示すメッセージが表示されて撮影準備が完了すると、コンソール４２の操作パネル１０２に対して撮影を指示する撮影指示操作を行う。コンソール４２は、操作パネル１０２に対して撮影指示操作が行なわれると、曝射開始を指示する指示情報を放射線発生装置３４及び電子カセッテ３２へ送信する。なお、コンソール４２は、電子カセッテ３２へ指示情報を、無線通信が禁止されていない場合は無線通信部１１８から無線通信で送信し、無線通信が禁止されている場合は有線通信部１２０から有線通信で送信する。
【００９５】
これにより、放射線源１３０は、放射線発生装置３４がコンソール４２から受信した曝射条件に応じた管電圧、管電流、及び照射期間で放射線を発生・射出する。
【００９６】
放射線源１３０から照射された放射線Ｘは、患者を透過した後に電子カセッテ３２に到達する。これにより、電子カセッテ３２に内蔵された放射線検出器６０の各画素部７４の蓄積容量６８には電荷が蓄積される。
【００９７】
電子カセッテ３２のカセッテ制御部９２は、無線通信部９４又は有線通信部９５で曝射開始を指示する指示情報を受信してから曝射条件で指定された照射期間の経過後にゲート線ドライバ８０を制御してゲート線ドライバ８０から１ラインずつ順に各ゲート配線７６にＯＮ信号を出力させ、各ゲート配線７６に接続された各ＴＦＴ７０を１ラインずつ順にＯＮさせる。
【００９８】
放射線検出器６０は、各ゲート配線７６に接続された各ＴＦＴ７０を１ラインずつ順にＯＮされると、１ラインずつ順に各蓄積容量６８に蓄積された電荷が電気信号として各データ配線７８に流れ出す。各データ配線７８に流れ出した電気信号は信号処理部８２に入力されてデジタルの画像情報へ変換されて、画像メモリ９０に記憶される。
【００９９】
医師や放射線技師は、無線通信が禁止されておらず、電子カセッテ３２からケーブル４３を外して撮影した場合、撮影終了後、電子カセッテ３２にケーブル４３を接続する。これにより、ケーブル４３を介して電力が供給されて電子カセッテ３２に内蔵されたバッテリに充電が行われる。
【０１００】
カセッテ制御部９２は、撮影終了後、以下の画像情報転送制御処理プログラムを実行して画像情報の転送が可能か否かを判定している。
【０１０１】
図９にはＣＰＵ９２Ａにより実行される画像情報転送制御処理プログラムの処理の流れを示すフローチャートが示されている。なお、当該プログラムはメモリ９２Ｂ（ＲＯＭ）の所定の領域に予め記憶されている。
【０１０２】
同図のステップ３００では、スイッチ３３のオン、オフ状態を判別することにより、接続端子３２Ａへのケーブル４３の接続待ちを行なう。
【０１０３】
次のステップ３０２では、画像メモリ９０に記憶された画像情報を有線通信部１２０から有線通信で送信し、処理終了となる。
【０１０４】
これにより、無線通信が禁止されて接続端子３２Ａにケーブル４３を接続して撮影した場合は、撮影後すぐにコンソール４２に画像情報が転送される。また、無線通信が禁止されておらず、電子カセッテ３２からケーブル４３を外して撮影した場合は、撮影後、接続端子３２Ａにケーブル４３が接続されたタイミングでコンソール４２に画像情報が転送される。
【０１０５】
コンソール４２は、受信した画像情報に対してシェーディング補正などの各種の補正する画像処理を行ない、補正後の画像情報をＨＤＤ１１０に記憶する。ＨＤＤ１１０に記憶された画像情報は、撮影した放射線画像の確認等のためにディスプレイ１００に表示されると共に、ＲＩＳサーバ１４に転送されてＲＩＳデータベースにも格納される。これにより、撮影された放射線画像を端末装置１２のディスプレイに表示させ、医師が放射線画像の読影や診断等を行うことが可能となる。
【０１０６】
以上のように、本実施の形態によれば、ケーブル４３が着脱可能とされた接続端子３２Ａにケーブル４３が接続されているか否かを検出し、接続端子３２Ａにケーブル４３が接続されていることが検出された場合に放射線画像の撮影が禁止することにより、撮影の際に接続端子３２Ａからケーブル４３を外して撮影を行なうようになるため、ケーブル４３による患者の汚染を防ぐことができる。また、撮影の際に接続端子３２Ａからケーブル４３を外して撮影が行なわれるため、安定して放射線画像の撮影を行なうことができる。
【０１０７】
また、本実施の形態によれば、放射線画像の撮影後に接続端子３２Ａにケーブル４３が接続された場合に当該ケーブル４３を介して画像情報をコンソール４２へ伝送する制御を行なうので、画像情報を転送するための別途操作を行なう必要がなく、簡単に画像情報を転送することができる。
【０１０８】
なお、上記実施の形態では、画像情報を有線通信で転送する場合について説明したが、本発明はこれに限定されるものではなく、無線通信で転送するようにしてもよい。この無線通信においても接続端子３２Ａにケーブル４３が接続されたことをトリガとして転送を開始するようにしてもよい。画像情報を有線通信で転送した場合、安定して高速で画像情報を転送できる。また、画像情報を無線通信で転送した場合、ケーブルを接続する必要がないため、電子カセッテ３２に対する取り回し操作を簡易になる。また、データ送信用の電源はケーブル４３を介して電子カセッテ３２に供給されるようになるので、無線通信用のための電源容量を電子カセッテ３２で用意する必要がない。
【０１０９】
また、上記実施の形態では、ベッド４６の天板４８にコンソール４２と接続されたケーブル４３を設けた場合について説明したが、本発明はこれに限定されるものではなく、例えば、図１０（Ａ）（Ｂ）に示すように、ケーブル４３の端子４３Ｂを天板４８の上面と略同一平面となるように天板１２内に収納して設けると共に、接続端子３２Ａを電子カセッテ３２の裏面に設けて端子４３Ｂと接続端子３２Ａとを接続するようにしてもよい。
【０１１０】
また、図１１（Ａ）〜（Ｃ）に示すように、ケーブル４３の端子４３Ｂを天板４８に収納可能に設け、接続する際に端子４３Ｂを天板４８から突出させて端子４３Ｂと接続端子３２Ａとを接続するようにしてもよい。
【０１１１】
また、上記実施の形態では、接続端子３２Ａにメカニカルなスイッチ３３を設けてケーブル４３の着脱の検出を行なう場合について説明したが、本発明はこれに限定されるものではなく、例えば、センサを設けてケーブル４３の着脱の検出を行なうものとしてもよい。図１２（Ａ）には、接続端子３２Ａにセンサとして反射型のセンサ１６６を設けた一例が示されている。センサ１６６は、発光部１６７から光を照射し、受光部１６８で反射光を受光する。図１２（Ｂ）には、センサ１６６の等価回路図が示されている。発光部１６７は発光ダイオード１６７Ａを備えており、受光部１６８はフォトダイオード１６８Ａを備えている。このフォトダイオード１６８Ａを介して流れる電流又は電圧を検出することにより、ケーブル４３の着脱を検出することができる。
【０１１２】
また、例えば、ケーブル４３がデータが伝送される信号線をノイズや外傷等から保護するためのシールド線を有する場合、シールド線の抵抗値を測定することにより、ケーブル４３の着脱を検出するようにしてもよい。図１３には、ケーブル４３のシールド線４３Ｃの抵抗値を測定する測定回路の一例が示されている。
【０１１３】
また、上記実施の形態では、電子カセッテ３２において接続端子３２Ａへのケーブル４３の着脱を検出し、接続端子３２Ａにケーブル４３が接続されていることが検出された場合に放射線画像の撮影が禁止する場合について説明したが、本発明はこれに限定されるものではなく、例えば、コンソール４２において接続端子３２Ａへのケーブル４３の着脱を検出して、接続端子３２Ａにケーブル４３が接続されていることが検出された場合に放射線画像の撮影が禁止する制御を行なうようにしてもよい。コンソール４２は、例えば、上述のようにケーブル４３のシールド線の抵抗値を測定したり、またはケーブル４３の端子４３Ｂ側にメカニカルなスイッチやセンサを設けることにより、接続端子３２Ａへのケーブル４３の着脱を検出できる。
【０１１４】
また、上記実施の形態では、コンソール４２と放射線発生装置３４を別な装置として設けた場合について説明したが、本発明はこれに限定されるものではなく、例えば、コンソール４２と放射線発生装置３４を一体の装置としてもよい。
【０１１５】
また、上記実施の形態では、電子カセッテ３２が無線通信や有線通信により曝射開始を指示する指示情報（放射線画像の撮影指示）を受付ける場合について説明したが、本発明はこれに限定されるものではなく、例えば、コンソール４２が放射線発生装置３４へ撮影用の曝射の所定時間前に曝射開始を通知するためのプレ曝射を行い、電子カセッテ３２において放射線検出器６０でプレ曝射の検出することにより放射線画像の撮影指示を受付けるようにしてもよい。電子カセッテ３２は、コンソール４２から、例えば、有線通信により曝射条件と共に曝射タイミングの情報を受信したり、プレ曝射などの他の通知方式で曝射開始の指示を受信するようにした場合、無線通信は必須ではない。
【０１１６】
また、上記実施の形態では、医療機器として心臓ペースメーカから発生する電波を検出する場合について説明したが、本発明はこれに限定されるものではない。例えば、近年、医療機器として超小型撮像素子を内蔵したカプセル内視鏡が実用化されている。このカプセル内視鏡は撮影された画像情報を無線通信で送信しており、口から飲み込んだ後、人体に電波を受信する受信機を装着してカプセル内視鏡からの電波を受信する。このような医療機器は電波が微弱であるため、電子カセッテ３２とコンソール４２間の無線通信によって影響を受ける場合がある。このため、カプセル内視鏡から発生する電波を検出した場合に電子カセッテ３２とコンソール４２間の無線通信を禁止するものとしてもよい。また、ペースメーカー以外にも生体情報（脈拍、心拍数、体温、心電、脳波、血糖など）を無線で逐次送信する医療機器が考えられる。このような医療機器から発生する電波を検出した場合に電子カセッテ３２とコンソール４２間の無線通信を禁止するものとしてもよい。
【０１１７】
このような医療機器で用いられる電波の周波数としては、例えば、京相 雅樹氏らの「生体信号の処理と無線伝送に関する研究」（２００３年３月）の８頁から１０頁に記載のように、特定小電力医用テレメータ周波数（４００ＭＨｚ帯）、ＩＳＭ(Industrial, Scientific and Medical)バンド（９００ＭＨｚ帯、２．４ＧＨｚ帯、５．７ＧＨｚ帯)などがある。
【０１１８】
また、上記実施の形態では、電子カセッテ３２とコンソール４２間の有線通信を可能とし、無線通信を禁止した場合に有線通信への切り替えを促す場合について説明したが、本発明はこれに限定されるものではない。例えば、電子カセッテ３２とコンソール４２間を赤外線通信、可視光通信、超音波などの電波（電磁波）を発しない通信モードでの通信を可能とし、無線通信を禁止した場合に当該通信モードの通信への切り替えを促すようにしてもよい。
【０１１９】
また、電子カセッテ３２は、曝射前に医療機器から発生する電波を検出した場合、放射線の照射の禁止を求める情報を無線通信で送信した後に無線通信を禁止してもよい。
【０１２０】
また、上記実施の形態では、ディスプレイ１００に警告を表示することにより、医師２６や放射線技師に警告を行う場合について説明したが、本発明はこれに限定されるものではなく、例えば、スピーカ等の音声再生装置を用いて音声出力を行ったり、印字出力を行っても良い。また、ディスプレイ１００への警告の表示、スピーカからの音声出力及び印字出力の複数を組み合わせてもよい。
【０１２１】
また、上記実施の形態では、ケーブル４３を介して電子カセッテ３２とコンソール４２を接続した場合について説明したが、本発明はこれに限定されるものではなく、ケーブルを介して電子カセッテ３２を他の機器と接続するようにしてもよい。
【０１２２】
また、上記実施の形態では、ケーブル４３を介して電子カセッテ３２とコンソール４２間の通信及び電子カセッテ３２の電源部９６に内蔵されたバッテリへの充電を行う場合について説明したが、本発明はこれに限定されるものではなく、通信及び充電の何れの一方のみを行うようにしてもよい。また、電子カセッテ３２の電源部９６にバッテリに変えて、例えば、燃料電池を搭載し、コンソール４２等から電子カセッテ３２へケーブル４３を介して燃料電池の駆動エネルギとなる水素を含む液体（アルコール水、アンモニア水）・気体を供給してもよい。
【０１２３】
その他、上記実施の形態で説明した放射線情報システム１０の構成（図１参照。）、撮影システム１８の構成（図２、図５、図１０、図１１参照。）及び電子カセッテ３２の構成（図３、図４、図１２、図１３参照。）は一例であり、本発明の主旨を逸脱しない範囲内において状況に応じて変更可能であることは言うまでもない。
【０１２４】
また、上記実施の形態で説明した無線通信禁止処理プログラム、撮影禁止判定処理プログラム、及び画像情報転送制御処理プログラムの処理の流れ（図７〜図９参照。）も一例であり、本発明の主旨を逸脱しない範囲内において状況に応じて変更可能であることは言うまでもない。
【符号の説明】
【０１２５】
３２Ａ  接続端子
３２    電子カセッテ
３３    スイッチ（検出手段）
４２    コンソール（撮影制御装置）
４３    ケーブル
６０    放射線検出器（生成手段）
８２    信号処理部（生成手段）
９２    カセッテ制御部（制御手段）
９２Ａ  ＣＰＵ（制御手段）
９４    無線通信部（受付手段、無線通信手段）
９５    有線通信部（受付手段）
９６    電源部（電力蓄積手段）
９８    電波検出部（電波検出手段）
【図１】
2010178901.tif 000003
【図２】
2010178901.tif 000004
【図３】
2010178901.tif 000005
【図４】
2010178901.tif 000006
【図５】
2010178901.tif 000007
【図６】
2010178901.tif 000008
【図７】
2010178901.tif 000009
【図８】
2010178901.tif 000010
【図９】
2010178901.tif 000011
【図１０】
2010178901.tif 000012
【図１１】
2010178901.tif 000013
【図１２】
2010178901.tif 000014
【図１３】
2010178901.tif 000015